(57)【要約】【課題】  光ディスクに記録されている信号の再生動作を行う光ピックアップ装置に組み込まれる対物レンズの支持装置を提供する。【解決手段】  対物レンズが装着されるレンズホルダーを複数の支持ワイヤー９によってフレーム１に対して変位可能に支持し、前記フレーム１に固定されるとともに前記支持ワイヤー９が遊嵌されるＶ字状の位置決め溝が形成されているサポート部材３と、該サポート部材３の側面に形成された嵌合孔３Ａに嵌合される嵌合部１５Ａ及び前記支持ワイヤー９に当接し該支持ワイヤー９を前記位置決め溝の最深位置に位置するべく作用する位置決め部１５Ｂが形成されている位置決め部材１５とより構成されている。【選択図】  図１
2008251084.tif 000002
【特許請求の範囲】
【請求項１】
対物レンズが装着されるレンズホルダーを複数の支持ワイヤーによってフレームに対して変位可能に支持するように構成された対物レンズ支持装置であり、前記フレームに固定されるとともに前記支持ワイヤーが遊嵌されるＶ字状の位置決め溝が形成されているサポート部材と、該サポート部材の側面に形成された嵌合孔に嵌合される嵌合部及び前記支持ワイヤーに当接し該支持ワイヤーを前記位置決め溝の最深位置に位置するべく作用する位置決め部が形成されている位置決め部材とより成り、前記位置決め部材を前記サポート部材に嵌合固着させた状態にて該位置決め部材及び支持ワイヤーを該サポート部材に接着固定するようにしたことを特徴とする対物レンズ支持装置。
【請求項２】
位置決め部材及び支持ワイヤーの接着固定を紫外線硬化型接着剤にて行うようにしたことを特徴とする請求項１に記載の対物レンズ支持装置。
【請求項３】
位置決め部材に接着剤を塗布する接着剤塗布片を設けたことを特徴とする請求項1に記載の対物レンズ支持装置。
【請求項４】
サポート部材の同一側面に配置されている複数の支持ワイヤーの位置決め動作を位置決め部材にて同時に行うようにしたことを特徴とする請求項1に記載の対物レンズ支持装置。
【発明の詳細な説明】
【技術分野】
【０００１】
本発明は、光ディスクに記録されている信号の読み出し動作や光ディスクに信号の記録動作を行うことが出来る光ピックアップ装置に組み込まれる対物レンズの支持装置に関する。
【背景技術】
【０００２】
光ピックアップ装置に組み込まれる対物レンズは、光ディスクの信号方向への変位動作、即ちフォーカス方向への変位動作及び光ディスクの径方向への変位動作、即ちトラッキング方向への変位動作を行うことが出来るようにされている。斯かる動作は対物レンズが装着されるレンズホルダーを複数(通常４本)の支持ワイヤーにてフレームに対して変位可能に支持することによって行われる。
【０００３】
レンズホルダーを支持ワイヤーによってフレームに対して変位可能に固定するためには、支持ワイヤーのフレームに対する取り付け位置を正確にする必要があり、従来では専用の治具を用いていたので、組み立ての作業性が悪いという問題があった。
【０００４】
専用の治具を省略し、レンズホルダーとフレームに支持ワイヤーの位置決め用の溝を設けることによって位置決めを行うようにした技術が開発されている。(特許文献１参照。)
【特許文献１】特開平１１−２３２６６９号公報
【発明の開示】
【発明が解決しようとする課題】
【０００５】
特許文献１にはＶ字状溝の谷部にＵ字状溝を形成し、該Ｕ字状溝に支持ワイヤーを挿入することによって支持ワイヤーの位置決めを行うようにした技術が記載されているが、斯かる技術ではＵ字状溝の寸法精度を高める必要があるだけでなく、該Ｕ字状溝内に支持ワイヤーを挿入するための作業性が悪いという問題がある。
【０００６】
また、支持ワイヤーをＵ字状溝内に挿入させた状態において、接着作業を行う場合に該支持ワイヤーを所望の位置に保持するための力が作用しないので、接着動作時にその位置がずれるという問題がある。
【０００７】
本発明は、斯かる問題を解決することが出来る対物レンズ支持装置を提供しようとするものである。
【課題を解決するための手段】
【０００８】
本発明は、対物レンズが装着されるレンズホルダーを複数の支持ワイヤーによってフレームに対して変位可能に支持するように構成された対物レンズ支持装置であり、前記フレームに固定されるとともに前記支持ワイヤーが遊嵌されるＶ字状の位置決め溝が形成されているサポート部材と、該サポート部材の側面に形成された嵌合孔に嵌合される嵌合部及び前記支持ワイヤーに当接し該支持ワイヤーを前記位置決め溝の最深位置に位置するべく作用する位置決め部が形成されている位置決め部材を備え、前記位置決め部材を前記サポート部材に嵌合固着させた状態にて該位置決め部材及び支持ワイヤーを該サポート部材に接着固定するように構成されている。
【０００９】
また、本発明は、位置決め部材及び支持ワイヤーの接着固定を紫外線硬化型接着剤にて行うようにしたことを特徴とするものである。
【００１０】
そして、本発明は、位置決め部材に接着剤を塗布する接着剤塗布片を設けたことを特徴とするものである。
【００１１】
また、本発明は、サポート部材の同一側面に配置されている複数の支持ワイヤーの位置決め動作を位置決め部材にて同時に行うようにしたことを特徴とするものである。
【発明の効果】
【００１２】
本発明は、フレームに固定されるとともに支持ワイヤーが遊嵌されるＶ字状の位置決め溝が形成されているサポート部材と、該サポート部材の側面に形成された嵌合孔に嵌合される嵌合部及び前記支持ワイヤーに当接し該支持ワイヤーを前記位置決め溝の最深位置に位置するべく作用する位置決め部が形成されている位置決め部材とを設け、前記位置決め部材を前記サポート部材に嵌合固着させた状態にて該位置決め部材及び支持ワイヤーを該サポート部材に接着固定するようにしたので、支持ワイヤーを正確に位置に固定することが出来る。
【００１３】
また、本発明は、位置決め部材に接着剤を塗布する接着剤塗布片を設けたので、固定動作を容易に行うことが出来る。
【００１４】
そして、本発明は、サポート部材の同一側面に配置されている複数の支持ワイヤーの位置決め動作を位置決め部材にて同時に行うようにしたので、組み立て作業性を向上させることが出来る。
【実施例】
【００１５】
図１は本発明に係る対物レンズ支持装置を示す要部の分解斜視図、図２は要部の拡大断面図、図３は要部の斜視図、図４は本発明の組み立て動作を説明するための説明図である。
【００１６】
まず、図３を参照して本発明に係る対物レンズ支持装置について説明する。１は対物レンズ支持装置を構成する基台であるフレームであり、フォーカス動作やトラッキング動作を行うための磁束を発生するマグネット２が固定されている。３及び４は螺子５によって前記フレーム１に固定されているサポート部材及び印刷配線基板である。前記サポート部材３は、後述するレンズホルダーの支持機構が組み込まれ、印刷配線基板４にはレンズホルダーに固装されているフォーカスコイル及びトラッキングコイルへ駆動電流を供給するパターンが形成されている。
【００１７】
６はフォーカスコイルＦＣ及びトラッキングコイルＴＣが側壁に固装されているレンズホルダーであり、例えばＣＤ規格及びＤＶＤ規格の光ディスクに対するレーザー光の集光動作を行う第１対物レンズ７及びＢｌｕ−ｒａｙ規格の光ディスクに対するレーザー光の集光動作を行う第２対物レンズ８が装着されている。
【００１８】
９は前記レンズホルダー６を前記フレーム１に対してフォーカス方向及びトラッキング方向、即ち矢印Ａ及びＢ方向への変位動作を可能に支持するべく該レンズホルダー６の両側に配置されている支持ワイヤーであり、図３に示したようにフォーカスコイルＦＣへの通電動作を行う一対の支持ワイヤー、トラッキングコイルＴＣへの通電動作を行う一対の支持ワイヤー、そしてチルト動作を行うための通電動作を行う一対の支持ワイヤーにて構成されている。尚、チルト動作を行うチルトコイルとしては、専用のチルトコイルを設ける方法や複数のフォーカスコイルをチルトコイルとして使用する方法があるが、斯かる構成は周知であるのでその説明は省略している。
【００１９】
前記支持ワイヤー９の可動側端子は前記レンズホルダー６に設けられている支持部材１
０に設けられている孔を挿通し、前記フォーカスコイルＦＣ及びトラッキングコイルＴＣの端子と接続部１１にて半田付けされている。また、前記支持ワイヤー９は前記支持部材１０に設けられている孔を挿通させた後接着剤にて該支持部材１０に接着されるように構成されている。
【００２０】
また、前記支持ワイヤー９の固定側端子は前記サポート部材３に形成されているとともに振動を抑制するダンプ剤Ｄが投入されるダンプ剤投入部１２、該ダンプ剤投入部に連接して設けられているとともに図４に示すような扇形状の孔１３を通して、前記印刷配線基板４に形成されている取付孔１４内を挿通するように構成されている。前記扇形状の孔１３は図４に示したようにその斜面部が支持ワイヤー９の位置決めを行うV字形状の位置決め溝１３Ａとして作用するように形成されている。
【００２１】
１５は前記サポート部材３の側面に形成されている嵌合孔３Ａに嵌合される嵌合部１５Ａ及び前記支持ワイヤー９に当接し、該支持ワイヤー９を図4に示すように扇形状の孔１３の最深位置に位置せしめるべく作用する位置決め部１５Ｂが形成されている位置決め部材である。また、前記位置決め部材１５には、紫外線硬化型の接着剤が塗布される接着剤塗布片１５Ｃが形成されている。
【００２２】
前述したように第１対物レンズ７及び第２対物レンズ８が装着されているレンズホルダー６の支持装置は構成されているが、支持ワイヤー９を支持するべくサポート部３に形成されている支持部の形状やレンズホルダー６の支持ワイヤー９に関係する支持部材１０及び接続部１１の形状は前記レンズホルダー６を挟んで対称になるように構成されている。
【００２３】
また、図１において、１６は前記フレーム１に固定されているカバーであり、光ピックアップ装置を構成する対物レンズ７，８を除く部分を覆うように設けられている。斯かるカバー１６のフレーム１への固定動作は対物レンズ支持装置の組み立て動作が完了した状態にて行われるものである。
【００２４】
前述したように本発明に係る対物レンズ支持装置は構成されているが、次に斯かる構成の対物レンズ支持装置の組み立て作業について説明する。
【００２５】
最初にフレーム１にマグネット２を接着剤にて固定するとともにサポート部材３及び印刷配線基板４を螺子５によって固定させる作業が行われるが、斯かる状態では本発明に係る位置決め部材１５は、サポート部材３に嵌合されていない。
【００２６】
次に、第１対物レンズ７、第２対物レンズ８、フォーカスコイルＦＣ及びトラッキングコイルＴＣが組み込まれたレンズホルダー６を前述したフレーム１に対して所定の位置になるように、即ち図３に示す位置になるように治具によって保持させる作業が行われる。
【００２７】
前記レンズホルダー６を所定の位置に治具によって保持した状態において、支持ワイヤー９を印刷配線基板４側から、即ち該印刷配線基板４に形成されている取付孔１４に対して矢印Ｃ方向へ挿入させる動作が行われる。斯かる動作によって前記支持ワイヤー９の可動側端子は、前記取付孔１４、サポート部材３に形成されている扇形状の孔１３及びダンプ剤投入部１２を通過し、更にレンズホルダー６に設けられている支持部材１０に設けられている孔を通して接続部１１の位置まで移動せしめられる。
【００２８】
斯かる状態において、支持ワイヤー９を前記支持部材１０に対して接着固定するとともに接続部１１にて各支持ワイヤーとフォーカスコイルＦＣの端子及びトラッキングコイルＴＣの端子とを半田付けする作業が行われる。
【００２９】
前述した作業によってレンズホルダー６に対して支持ワイヤー９を固定する動作が完了することになる。斯かる状態は、図１に示した状態からダンプ剤Ｄ及びカバー１６を削除した状態であり、支持ワイヤー９の固定側端子は遊嵌された状態にある。
【００３０】
斯かる状態において、位置決め部材１５をサポート部材３に対して矢印方向から嵌合させる動作が行われる。即ち、斯かる動作は前記位置決め部材１５に形成されている嵌合部１５Ａをサポート部材３に形成されている嵌合孔３Ａに対して嵌合させることによって行われる。
【００３１】
斯かる嵌合動作が行われると、嵌合部１５Ａが嵌合孔３Ａに嵌合されるとともに位置決め部１５Ｂがサポート部材３に形成されている接着位置決め部３Ｂ内に挿入される。図２は斯かる動作が行われた状態を示すものであり、前記位置決め部１５Ｂの先端部１５ｂが支持ワイヤー９に当接する。
【００３２】
図４は前記位置決め部材１５に形成されて位置決め部１５Ｂの先端部１５ｂが支持ワイヤー９に当接した状態を説明するための図であり、同図より明らかなように支持ワイヤー９は押圧されてV字状の位置決め溝１３Ａの最深部に位置された状態になる。
【００３３】
前記位置決め部材１５は、該位置決め部材１５に形成されている嵌合部１５Ａがサポート部材３の側面に形成されている嵌合孔３Ａに嵌合されるので、図示した状態にて嵌合固定されることになる。斯かる状態において、前記位置決め部材１５に形成されている接着剤塗布片１５Ｃに紫外線硬化型の接着剤Ｐを塗布させた後該接着剤Ｐに対して紫外線を照射させる動作が行われる。
【００３４】
前記接着剤Ｐは前記接着剤塗布片１５Ｃ上に塗布されるが、斯かる塗布動作は前記支持ワイヤー９を接着剤Ｐが覆う状態になるように行われる。従って、接着剤Ｐに対する紫外線照射による硬化動作が行われると、前記位置決め部材１５がサポート部材３に接着固定されるだけでなく、支持ワイヤー９も該サポート部材３に接着固定されることになる。
【００３５】
前述した作業によって支持ワイヤー９のサポート部材３に対する固定動作が行われるが、斯かる状態において、該支持ワイヤー９の固定側端子を前記印刷配線基板４に形成されているパターンに対して半田付け作業を行うとともにサポート部材３に形成されているダンプ剤投入部１２にダンプ剤Ｄを投入する作業が行われる。斯かる作業を行うことによって対物レンズ支持装置の組み立て作業が完了することになる。
【００３６】
前述したように本実施例では、位置決め部材１５の先端部１５ｂを支持ワイヤー９に当接させることによって該支持ワイヤー９を位置決め溝１３Ａの最深部に位置させるようにしたが、位置決め部材１５の先端部１５ｂにて支持ワイヤー９の可動範囲を規制するようにすることも出来る。即ち、位置決め部材１５の先端部１５ｂを支持ワイヤー９と少し離間させた位置になるように配置させ、斯かる状態のままで接着剤にて支持ワイヤー９を接着固定するようにすることも出来る。
【００３７】
尚、本実施例では、レンズホルダー６に第１対物レンズ７及び第２対物レンズ８の２つの対物レンズを装着させた場合について説明したが、１つの対物レンズが装着されたレンズホルダーの対物レンズ支持装置として実施することは勿論可能である。また、本実施例では、６本の支持ワイヤーにて支持されたレンズホルダーについて説明したが、４本の支持ワイヤーにて支持されるように構成されたレンズホルダーに対して実施することは勿論可能である。
【図面の簡単な説明】
【００３８】
【図１】本発明の対物レンズ支持装置を示す要部の分解斜視図である。
【図２】本発明の対物レンズ支持装置を示す要部の拡大断面図である。
【図３】本発明の対物レンズ支持装置を示す要部の斜視図である。
【図４】本発明の対物レンズ支持装置の組み立て動作を説明するための説明図である。
【符号の説明】
【００３９】
１      フレーム
３      サポート部材
３Ａ    嵌合孔
４      印刷配線基板
６      レンズホルダー
９      支持ワイヤー
１３    孔
１３Ａ  位置決め溝
１５    位置決め部材
１５Ａ  嵌合部
１５Ｂ  位置決め部
１５Ｃ  接着剤塗布片
【図１】
2008251084.tif 000003
【図２】
2008251084.tif 000004
【図３】
2008251084.tif 000005
【図４】
2008251084.tif 000006